(57)【要約】  【課題】苗箱で育成された苗の葉丈を切り揃える剪葉機において隣接する苗の絡みつきを外す機能を設ける。  【解決手段】育苗された苗箱Ｂを苗Ｎが下方を向く反転状態で水平方向に搬送させる移送路１５を機体１１に設け、移送路１５の下方に切断器４５を配置していると共に、苗箱Ｂから垂下した複数の苗Ｎ同士を梳き分ける分離材１７、２０、２９、３５を機体１１に取り付け、苗箱Ｂを移送路１５で搬送することで、苗箱Ｂから垂下された苗Ｎが切断器４５により所要長さに切断されると共に、分離材１７、２０、２９、３５が隣接する苗Ｎの隙間を通過して苗Ｎ同士の絡みつきが外される。  【選択図】図１
2005204544.tif 000002
【特許請求の範囲】
【請求項１】
育苗された苗箱を苗が下方を向く反転状態で水平方向に搬送させる移送路を機体に設け、該移送路の下方に切断器を配置していると共に、上記苗箱から垂下した複数の苗同士を梳き分ける分離材を上記機体に取り付け、
上記苗箱を上記移送路で搬送することで、上記苗箱から垂下された苗が上記切断器により所要長さに切断されると共に、上記分離材が隣接する苗の隙間を通過して苗同士の絡みつきが外される構成としていることを特徴とする剪葉機。
【請求項２】
上記分離材は、上記切断器よりも搬送方向の下流に配置されている請求項１に記載の剪葉機。
【請求項３】
上記分離材は、複数の分離片が櫛状に突出した構成としている請求項１または請求項２に記載の剪葉機。
【請求項４】
上記分離材は、先端を上流側の斜め上方に向けて傾斜させている請求項１乃至請求項３のいずれか１項に記載の剪葉機。  
【請求項５】
上記櫛状に突出した複数の分離片は、それぞれ互いの先端位置を上記苗箱の搬送方向に段階的に位置ズレさせている請求項３または請求項４に記載の剪葉機。
【請求項６】
上記分離材の先端部は先細形状としている請求項１乃至請求項５のいずれか１項に記載の剪葉機。
【発明の詳細な説明】
【技術分野】
【０００１】
本発明は、剪葉機に関し、詳しくは、苗箱で育成された苗を所定の高さに揃えて切断する剪葉機に関するものである。
【背景技術】
【０００２】
従来、苗箱で育成された苗を移植機で植え付けるためには苗の葉丈を一定の高さに揃える必要があるため、圃場に苗を植え付ける前の工程において、特公昭６３−５６７６４号公報等に開示された剪葉機を用いて、育苗された苗箱の葉を切り揃える作業が行われている。
詳しくは、上記公報の剪葉機は、図５に示すように架台１の上方に苗箱送り装置２を設けていると共に、下方に切断器６を配置しており、苗箱送り装置２は苗箱ＮＢの側端縁を内方に押圧しながら摺動自在に支持するガイド３を備え、切断器６は回転軸４に一対の円盤カッター５を支持している。そして、育苗されたままの苗Ｎが垂下するよう反転させた苗箱ＮＢを苗箱送り装置２により湾曲させながら搬送すると共に、回転する円盤カッター５で苗Ｎを一定の長さに切り揃えるようにしている。
【０００３】
しかしながら、苗Ｎの葉丈を一定に切断しただけでは、隣接する苗Ｎの茎葉同士が絡み付いている場合があり、そのままの状態で移植機により圃場への植付作業を行うと、１つの苗に絡まって後続に隣接する苗をも連れだって植え付けてしまい、二株植えになったり、苗の植付け姿勢が乱れてしまう問題があった。
【特許文献１】特公昭６３−５６７６４号公報
【発明の開示】
【発明が解決しようとする課題】
【０００４】
本発明は、上記問題に鑑みてなされたもので、苗箱で育成された苗の葉丈を切り揃える剪葉機において隣接する苗の絡みつきを外す機能を設けることを課題としている。
【課題を解決するための手段】
【０００５】
上記課題を解決するため、本発明は、育苗された苗箱を苗が下方を向く反転状態で水平方向に搬送させる移送路を機体に設け、該移送路の下方に切断器を配置していると共に、上記苗箱から垂下した複数の苗同士を梳き分ける分離材を機体に取り付け、
上記苗箱を上記移送路で搬送することで、上記苗箱から垂下された苗が上記切断器により所要長さに切断されると共に、上記分離材が隣接する苗の隙間を通過して苗同士の絡みつきが外される構成としていることを特徴とする剪葉機を提供している。
【０００６】
上記構成とすると、苗箱を逆さに反転させた状態で上記移送路を搬送することにより、苗箱より垂下された苗を上記切断器で所要長さに切り揃えると同時に、隣接する苗の隙間に上記分離材が搬送方向に通過されるので、苗同士の絡みつきも取り除くことができる。したがって、苗箱に育苗されたままの苗を剪葉する工程に、隣接苗の絡みつきを解除する工程を兼用させることができるので作業効率が非常に良好となる。
【０００７】
上記分離材は、上記切断器よりも搬送方向の下流に配置されている。
【０００８】
上記構成とすると、切断器により短く切断された後の苗に対して、上記分離材を通過させて梳き分けるので、切断される前の長丈の苗に対して分離材を通過させる場合に比べて分離材を通し易くなる。また、苗の葉先にもつれがあった場合には先に切断器により葉先が除去されるので、当該もつれを分離材で解くまでもなく除去することができる利点もある。
【０００９】
上記分離材は、複数の分離片が櫛状に突出した構成としている。
【００１０】
上記構成とすると、櫛状に複数の分離片を設けているので、苗箱から並列して突出した複数の苗の隙間に一括して分離片を通過させて絡みを解くことができる。
【００１１】
上記分離材は、先端を上流側の斜め上方に向けて傾斜している。
【００１２】
上記構成とすれば、苗箱が上記移送路を搬送されると、先ず、上記分離材の上方先端が隣接する苗の根元側の隙間に挿入され、苗箱が移送路を進行するにつれて分離片で苗の下方先端側に向けてスムーズに梳き分けることができ、隣接する苗同士の絡みつきを外す精度を向上させることが可能となる。
【００１３】
上記櫛状に突出した複数の分離片は、それぞれ互いの先端位置を上記苗箱の搬送方向に段階的に位置ズレさせている。
【００１４】
上記構成とすると、搬送されている苗箱から垂下された苗に対して、複数の分離片が同時に負荷されることなく段階的に梳き分けられるので、苗に対して過大な負荷が掛からず、苗が苗箱から脱落するのを防止することができる。
【００１５】
上記分離材の先端部は先細形状としていると好ましい。
【００１６】
上記構成とすると、苗箱から垂下された苗の隙間に分離材を確実に挿入できるようにガイドされるので、梳き分けの精度の向上を図ることができる。
【発明の効果】
【００１７】
以上の説明より明らかなように、本発明によれば、逆さに反転された状態で搬送される苗箱より垂下された苗を切断器で所要長さに切り揃える剪葉工程と同時に、隣接して育成された各苗に分離材で梳き込んで苗同士の絡みつきも取り除くことができ、後工程での圃場への苗の植え付け精度を高効率に向上させることが可能となる。
【発明を実施するための最良の形態】
【００１８】
本発明の実施形態を図面を参照して説明する。
本実施形態の剪葉機１０は、図１に示すように、両側壁部１１ａおよび脚部１１ｂを有する機体１１に、苗箱Ｂの移送路１５および苗Ｎを所要長さに切断する切断器４５を備えていると共に、隣接する苗Ｎ同士の絡みつきを解くための中央第１分離材１７、中央第２分離材２０および櫛状分離材２９、３５を備えている。
【００１９】
移送路１５は、機体１１の両側壁部１１ａの上端に断面Ｌ字状のガイドレール１２を固定しており、ガイドレール１２の底面部１２ｂに苗箱Ｂの側縁部Ｂｂを載置した状態で作業者が手でスライドさせて搬送するようにしている。また、ガイドレール１２の側面部１２ａには移送路１５の上流側に苗箱Ｂ検出用の第１リミットスイッチ１３を固定していると共に、下流側にも第２リミットスイッチ１４を固定している。第１、第２リミットスイッチ１３、１４は、側面部１２ａに固定される本体部１３ａ、１４ａと、本体部１３ａ、１４ａから下方に付勢された状態で揺動自在としている検知レバー部１３ｂ、１４ｂとを備えている。
【００２０】
切断器４５は、機体１１に固定された枠状のフレーム１６の側方部１６に取り付けた取付材２１の水平部２１ａの下面側に駆動制御部２３を設け、水平部２１ａの上面側より上方に駆動制御部２３により回転駆動される回転軸２４が突設されている。回転軸２４の上端には旋回片２５が固定されており、旋回片２５の両端において固定ボルト２７により切断刃２６が固定されている。取付材２１の垂直部２１ｂには段階状の複数の切欠部２１ｃが設けられており、固定ネジ２２を任意の切欠部２１ｃを通してフレーム１６に固定することで切断器４５の高さ調節を可能としている。
【００２１】
駆動制御部２３は図示しない電線を介して第１、第２リミットスイッチ１３、１４と接続されており、第１リミットスイッチ１３が苗箱Ｂを検知すると回転軸２４を駆動開始させて切断刃２６を高速旋回する一方、苗箱Ｂがガイドレール１２を下流まで通過することにより一度検知状態となった第２リミットスイッチ１４が非検知状態になることで回転軸２４の駆動を停止するように制御している。
【００２２】
中央第１分離材１７は、帯状に立設した状態で上端縁がガイドレール１２の底面部１２ｂと略同一高さとなるように幅方向の中央で搬送方向に延在され、下流側垂直片１９を介してフレーム１６の下流部１６ａに接続固定されていると共に、上流側垂直片１８を介してフレーム１６の上流部１６ｃに接続固定されている。なお、中央第１分離材１７の上流端１７ａは上流側垂直片１８よりも若干突出して設けている。
中央第２分離材２０は、下流側垂直片１９の上方部より三角状に屈曲して上流方向に突出しており、幅方向に突出した横部２０ａと、横部２０ａより中央第１分離材１７に向けて傾斜配置された傾斜部２０ｂとを備えている。
【００２３】
櫛状分離材２９、３５は、複数本の棒状の分離片３０〜３４、３６〜４０とを備え、これらの下端根元部を断面コ字状の嵌合取付材２８の外面に固定し、嵌合取付材２８をフレーム１６の上流部１６ａに嵌合固定している。つまり、櫛状分離材２９、３５は、切断器４５よりも搬送方向の下流に配置されている。
複数の分離片３０〜３４、３６〜４０は略同形状であるので、代表して分離片３４について説明すると、嵌合取付材２８の外面に下端を固定した垂直部３４ｃと、垂直部３４ｃの先端から上流側の斜め上方に向けて傾斜した傾斜部３４ｂと、先細形状の先端部３４ａとを備えている。なお、傾斜部３４ｂは垂直方向に対して１０°〜８０°の範囲とすると好適である。
【００２４】
分離片３０〜３４、３６〜４０は、図４に示すように、それぞれの先端部３０ａ〜３４ａ、３６ａ〜４０ａを搬送方向に対して段階的に位置ズレさせている。即ち、中央側に存在する分離片３０、３６の先端部３０ａ、３６ａを最も上流側まで延在させており、分離片３０、３６→３１、３７→３２、３８→３３、３９→３４、４０の順で幅方向の両側方にいくにつれて先端部３０ａ〜３４ａ、３６ａ〜４０ａを下流側に位置ズレさせている。
また、機体１１の上方開口は透明板からなるカバー４３で閉鎖されてネジ４４で取付固定している。
【００２５】
次に、剪葉機１０の動作について説明する。
図２乃至図４に示すように、作業者がポット部Ｂａに育苗されたポット苗箱Ｂを苗Ｎが下方を向く反転状態として、苗箱Ｂの側縁部Ｂｂをガイドレール１２の上流側に設置すると共に苗箱Ｂの中央部分を中央第１分離材１７に載置し、中央第１分離材１７がポット苗箱Ｂの中央の条間となる隙間Ｓに挿通されるようにして図中矢印方向の下流側へと水平方向に搬送させる。
すると、苗箱Ｂの側縁部Ｂｂが第１リミットスイッチ１３の検知レバー部１３ｂを押し上げて検知状態となることをトリガーとして回転軸２４が駆動されて切断刃２６が高速旋回され、苗Ｎを所定の長さに切断する。
【００２６】
さらに苗箱Ｂが下流に進むと、中央第２分離材２０の傾斜部２０ａが幅方向の中央で隣接する苗Ｎの隙間を押し拡げて、中央部分で隣接する苗Ｎ同士の絡みつきが外される。また、櫛状分離材２９、３５の各分離片３０〜３４、３６〜４０の先端部３０ａ〜３４ａ、３６ａ〜４０ａがそれぞれのポット部Ｂａから垂下する苗Ｎの根元側の隙間に順次通過され、苗Ｎ同士の絡みつきを取り除くことができる。
【００２７】
この際、櫛状分離材２９、３５は、切断器４５よりも下流に配置されているので、切断刃２６で短く切断された後の苗Ｎに対して、分離片３０〜３４、３６〜４０を通過させて梳き分けるので、切断される前の長丈の苗Ｎに対して分離片３０〜３４、３６〜４０を通過させる場合に比べて梳き易くなると共に、苗Ｎの葉先に絡みがあった場合には先に切断刃２６により葉先が除去されるので、当該絡みを櫛状分離材２９、３５で解くまでもなく除去することができる。
【００２８】
また、複数の分離片３０〜３４、３６〜４０は、それぞれの先端部３０ａ〜３４ａ、３６ａ〜４０ａの位置を搬送方向に対して段階的に位置ズレさせているので、搬送されているポット苗箱Ｂのポット部Ｂａから垂下された苗Ｎに対して、複数の分離片３０〜３４、３６〜４０が同時に負荷されることなく段階的に梳き分けられるので、苗Ｎに対して過大な負荷が掛からず、苗Ｎがポット苗箱Ｂから脱落するのを防いでいる。
【００２９】
さらに、分離片３０〜３４、３６〜４０には、先端部３０ａ〜３４ａ、３６ａ〜４０ａを上流側の斜め上方に向けて傾斜させているので、苗箱Ｂが移送路１５を進行するにつれて根元側から下方の葉先側に向けてスムーズに梳き分けることができ、苗Ｎの絡みつきを精度良く外すことができる。
【図面の簡単な説明】
【００３０】
【図１】本発明の実施形態の剪葉機の斜視図である。
【図２】剪葉機の正面図である。
【図３】剪葉機の側面図である。
【図４】剪葉機の平面図である。
【図５】従来例を示す図面である。
【符号の説明】
【００３１】
１０    剪葉機
１１    機体
１２    ガイドレール
１３    第１リミットスイッチ
１４    第２リミットスイッチ
１５    移送路
１６    フレーム
１７    中央第１分離材
２０    中央第２分離材
２３    駆動制御部
２４    回転軸
２５    水平片
２６    切断刃
２９、３５    櫛状分離材
３０〜３４、３６〜４０    分離片
３０ａ〜３４ａ、３６ａ〜４０ａ  先端部
３４ｂ  傾斜部
３４ｃ  垂直部
４３    カバー
Ｂ      ポット苗箱
Ｂａ    ポット部
Ｂｂ    側縁部
Ｎ      苗
【図１】
2005204544.tif 000003
【図２】
2005204544.tif 000004
【図３】
2005204544.tif 000005
【図４】
2005204544.tif 000006
【図５】
2005204544.tif 000007